【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
狭帯域領域中のリソースを識別することと、前記狭帯域領域が送信時間間隔（ＴＴＩ）においてわずか単一のリソースブロックにわたる、および
前記識別されたリソースを使用して基地局と通信することと
を備え、
ここにおいて、マルチプル（multiple）ＵＥが所与のＴＴＩにおいて前記識別されたリソースを共有するように、マルチプル（multiple）ＵＥが前記狭帯域領域中で周波数分割多重化される、方法。
【請求項２】
前記ＵＥが第１のタイプであり、および
前記狭帯域領域が、第２のタイプのＵＥによる通信のために使用される広帯域領域のリソース内に位置する、
請求項１に記載の方法。
【請求項３】
前記ＵＥが第１のタイプであり、および
前記狭帯域領域が、第２のタイプのＵＥによる通信のために使用される広帯域領域のリソースの外部の別個のコンポーネントキャリア内に位置する、
請求項１に記載の方法。
【請求項４】
前記狭帯域領域の前記ロケーションを示すリソースブロックオフセットのシグナリングを受信すること
をさらに備える、請求項２に記載の方法。
【請求項５】
前記通信することが、
前記識別されたリソース上で前記基地局から、セル固有基準信号、ブロードキャスト情報、または同期信号、のうちの少なくとも１つを受信すること
を備える、請求項１に記載の方法。
【請求項６】
前記通信することが、
前記識別されたリソース上で物理ランダムアクセスチャネル（ＰＲＡＣＨ）を送信すること
を備える、請求項１に記載の方法。
【請求項７】
少なくとも１つの制御チャネルと少なくとも１つのデータチャネルとが複数のＴＴＩ上で時分割多重化される、請求項１に記載の方法。
【請求項８】
少なくとも１つの制御チャネルと少なくとも１つのデータチャネルとが所与のＴＴＩ内で時分割多重化される、請求項１に記載の方法。
【請求項９】
少なくとも１つの制御チャネルと少なくとも１つのデータチャネルとが所与のＴＴＩ内で周波数分割多重化される、請求項１に記載の方法。
【請求項１０】
少なくともいくつかのＴＴＩが物理アップリンク制御チャネル（ＰＵＣＣＨ）送信のために利用可能であり、および
少なくともいくつかのＴＴＩが物理ランダムアクセスチャネル（ＰＲＡＣＨ）送信のために利用可能である、
請求項１に記載の方法。
【請求項１１】
前記通信することが、
前記識別されたリソースを使用してアクセスまたはシステム補足(system acquisition)のうちの少なくとも１つを実行すること
を備える、請求項１に記載の方法。
【請求項１２】
基地局（ＢＳ）によるワイヤレス通信のための方法であって、
狭帯域領域中のリソースを識別することと、前記狭帯域領域が送信時間間隔（ＴＴＩ）においてわずか単一のリソースブロックにわたる、および
前記識別されたリソースを使用して少なくとも１つのユーザ機器（ＵＥ）と通信することと
を備え、
ここにおいて、マルチプル（multiple）ＵＥが所与のＴＴＩにおいて前記識別されたリソースを共有するように、マルチプル（multiple）ＵＥが前記狭帯域領域中で周波数分割多重化される、方法。
【請求項１３】
ユーザ機器（ＵＥ）であって、
狭帯域領域中のリソースを識別するための手段と、前記狭帯域領域が、送信時間間隔（ＴＴＩ）においてわずか単一のリソースブロックにわたる、
前記識別されたリソースを使用して基地局と通信するための手段と
を備え、
ここにおいて、マルチプル（multiple）ＵＥが所与のＴＴＩにおいて前記識別されたリソースを共有するように、マルチプル（multiple）ＵＥが前記狭帯域領域中で周波数分割多重化される、ユーザ機器（ＵＥ）。
【請求項１４】
基地局（ＢＳ）であって、
狭帯域領域中のリソースを識別するための手段と、前記狭帯域領域が、送信時間間隔（ＴＴＩ）においてわずか単一のリソースブロックにわたる、
前記識別されたリソースを使用して少なくとも１つのユーザ機器（ＵＥ）と通信するための手段と
を備え、
ここにおいて、マルチプル（multiple）ＵＥが所与のＴＴＩにおいて前記識別されたリソースを共有するように、マルチプル（multiple）ＵＥが前記狭帯域領域中で周波数分割多重化される、基地局（ＢＳ）。
【請求項１５】
実行されると、コンピュータに、請求項１ないし１２のいずれか一項に記載の方法を実行させる命令を備えるコンピュータプログラム。
【手続補正２】
【補正対象書類名】明細書
【補正対象項目名】００８１
【補正方法】変更
【補正の内容】
【００８１】
[0091]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］  ユーザ機器（ＵＥ）によるワイヤレス通信のための方法であって、
狭帯域領域中のリソースを識別することと、前記狭帯域領域が送信時間間隔（ＴＴＩ）においてわずか単一のリソースブロックにわたる、および
前記識別されたリソースを使用して基地局と通信することと
を備える、方法。
［Ｃ２］  前記ＵＥが第１のタイプであり、および
前記狭帯域領域が、第２のタイプのＵＥによる通信のために使用される広帯域領域のリソース内に位置する、
Ｃ１に記載の方法。
［Ｃ３］  前記ＵＥが第１のタイプであり、および
前記狭帯域領域が、第２のタイプのＵＥによる通信のために使用される広帯域領域のリソースの外部の別個のコンポーネントキャリア内に位置する、
Ｃ１に記載の方法。
［Ｃ４］  前記狭帯域領域の前記ロケーションを示すリソースブロックオフセットのシグナリングを受信すること
をさらに備える、Ｃ２に記載の方法。
［Ｃ５］  前記通信することが、
前記識別されたリソース上で前記基地局から、セル固有基準信号、ブロードキャスト情報、同期信号、のうちの少なくとも１つを受信すること
を備える、Ｃ１に記載の方法。
［Ｃ６］  前記通信することが、
前記識別されたリソース上で物理ランダムアクセスチャネル（ＰＲＡＣＨ）を送信すること
を備える、Ｃ１に記載の方法。
［Ｃ７］  所与のＴＴＩにおいて単一のＵＥが前記識別されたリソースのすべてを利用するように、マルチプル（multiple）ＵＥが前記狭帯域領域中で時分割多重化される、Ｃ１に記載の方法。
［Ｃ８］  マルチプル（multiple）ＵＥが所与のＴＴＩにおいて前記識別されたリソースを共有するように、マルチプル（multiple）ＵＥが前記狭帯域領域中で周波数分割多重化される、Ｃ１に記載の方法。
［Ｃ９］  少なくとも１つの制御チャネルと少なくとも１つのデータチャネルとが複数のＴＴＩ上で時分割多重化される、Ｃ１に記載の方法。
［Ｃ１０］  少なくとも１つの制御チャネルと少なくとも１つのデータチャネルとが所与のＴＴＩ内で時分割多重化される、Ｃ１に記載の方法。
［Ｃ１１］  少なくとも１つの制御チャネルと少なくとも１つのデータチャネルとが所与のＴＴＩ内で周波数分割多重化される、Ｃ１に記載の方法。
［Ｃ１２］  前記通信することが、
前記識別されたリソース上で物理ダウンリンク制御チャネル（ＰＤＣＣＨ）を受信すること
を備える、Ｃ１に記載の方法。
［Ｃ１３］  前記通信することが、
前記識別されたリソース上で物理ダウンリンク共有チャネル（ＰＤＳＣＨ）を受信すること
を備える、Ｃ１に記載の方法。
［Ｃ１４］  少なくともいくつかのＴＴＩが物理アップリンク制御チャネル（ＰＵＣＣＨ）送信のために利用可能であり、および
少なくともいくつかのＴＴＩが物理ランダムアクセスチャネル（ＰＲＡＣＨ）送信のために利用可能である、
Ｃ１に記載の方法。
［Ｃ１５］  前記通信することが、
前記識別されたリソースを使用してアクセスまたはシステム同期補足(system acquisition)のうちの少なくとも１つを実行すること
を備える、Ｃ１に記載の方法。
［Ｃ１６］  基地局（ＢＳ）によるワイヤレス通信のための方法であって、
狭帯域領域中のリソースを識別することと、前記狭帯域領域が送信時間間隔（ＴＴＩ）においてわずか単一のリソースブロックにわたる、および
前記識別されたリソースを使用して少なくとも１つのユーザ機器（ＵＥ）と通信することと
を備える、方法。
［Ｃ１７］  前記少なくとも１つのＵＥが第１のタイプであり、および
前記狭帯域領域が、第２のタイプのＵＥによる通信のために使用される広帯域領域のリソース内に位置する、
Ｃ１６に記載の方法。
［Ｃ１８］  前記少なくとも１つのＵＥが第１のタイプであり、および
前記狭帯域領域が、第２のタイプのＵＥによる通信のために使用される広帯域領域のリソースの外部の別個のコンポーネントキャリア内に位置する、
Ｃ１６に記載の方法。
［Ｃ１９］  前記狭帯域領域の前記ロケーションを示すリソースブロックオフセットのシグナリングを前記少なくとも１つのＵＥに送ること
をさらに備える、Ｃ１７に記載の方法。
［Ｃ２０］  前記通信することが、
前記識別されたリソース上で前記基地局から、セル固有基準信号、ブロードキャスト情報、同期信号のうちの少なくとも１つを送信すること
を備える、Ｃ１６に記載の方法。
［Ｃ２１］  前記通信することが、
前記識別されたリソース上で物理ランダムアクセスチャネル（ＰＲＡＣＨ）を受信すること
を備える、Ｃ１６に記載の方法。
［Ｃ２２］  所与のＴＴＩにおいて単一のＵＥが前記識別されたリソースのすべてを利用するように、マルチプル（multiple）ＵＥが前記狭帯域領域中で時分割多重化される、Ｃ１６に記載の方法。
［Ｃ２３］  所与のＴＴＩにおいてマルチプル（multiple）ＵＥが前記識別されたリソースを共有するように、マルチプル（multiple）ＵＥが前記狭帯域領域中で周波数分割多重化される、Ｃ１６に記載の方法。
［Ｃ２４］  少なくとも１つの制御チャネルと少なくとも１つのデータチャネルとが複数のＴＴＩ上で時分割多重化される、Ｃ１６に記載の方法。
［Ｃ２５］  少なくとも１つの制御チャネルと少なくとも１つのデータチャネルとが所与のＴＴＩ内で時分割多重化される、Ｃ１６に記載の方法。
［Ｃ２６］  少なくとも１つの制御チャネルと少なくとも１つのデータチャネルとが所与のＴＴＩ内で周波数分割多重化される、Ｃ１６に記載の方法。
［Ｃ２７］  前記通信することが、
前記識別されたリソース上で物理ダウンリンク制御チャネル（ＰＤＣＣＨ）を送信すること
を備える、Ｃ１６に記載の方法。
［Ｃ２８］  前記通信することが、
前記識別されたリソース上で物理ダウンリンク共有チャネル（ＰＤＳＣＨ）を送信すること
を備える、Ｃ１６に記載の方法。
［Ｃ２９］  少なくともいくつかのＴＴＩが物理アップリンク制御チャネル（ＰＵＣＣＨ）送信を受信するために利用可能であり、
少なくともいくつかのＴＴＩが物理ランダムアクセスチャネル（ＰＲＡＣＨ）送信を受信するために利用可能である、
Ｃ１６に記載の方法。
［Ｃ３０］  前記通信することが、
前記少なくとも１つのＵＥとともに前記識別されたリソースを使用してアクセスまたはシステム同期補足のうちの少なくとも１つに参加すること
を備える、Ｃ１６に記載の方法。
［Ｃ３１］  ワイヤレス通信のための装置であって、
狭帯域領域中のリソースを識別することと、前記狭帯域領域が送信時間間隔（ＴＴＩ）においてわずか単一のリソースブロックにわたる、および
前記識別されたリソースを使用して基地局と通信することと
を行うように構成された少なくとも１つのプロセッサと、
前記少なくとも１つのプロセッサに結合されたメモリと
を備える、装置。
［Ｃ３２］  ワイヤレス通信のための装置であって、
狭帯域領域中のリソースを識別することと、前記狭帯域領域が、送信時間間隔（ＴＴＩ）においてわずか単一のリソースブロックにわたる、および
前記識別されたリソースを使用して少なくとも１つのユーザ機器（ＵＥ）と通信することと
を行うように構成された少なくとも１つのプロセッサと、
前記少なくとも１つのプロセッサに結合されたメモリと
を備える、装置。
［Ｃ３３］  ワイヤレス通信のための装置であって、
狭帯域領域中のリソースを識別するための手段と、前記狭帯域領域が、送信時間間隔（ＴＴＩ）においてわずか単一のリソースブロックにわたる、
前記識別されたリソースを使用して基地局と通信するための手段と
を備える、装置。
［Ｃ３４］  ワイヤレス通信のための装置であって、
狭帯域領域中のリソースを識別するための手段と、前記狭帯域領域が、送信時間間隔（ＴＴＩ）においてわずか単一のリソースブロックにわたる、
前記識別されたリソースを使用して少なくとも１つのユーザ機器（ＵＥ）と通信するための手段と
を備える、装置。
［Ｃ３５］  ワイヤレス通信のためのコンピュータ可読媒体であって、
狭帯域領域中のリソースを識別するためのコードと、前記狭帯域領域が、送信時間間隔（ＴＴＩ）においてわずか単一のリソースブロックにわたる、
前記識別されたリソースを使用して基地局と通信するためのコードと
を備える、コンピュータ可読媒体。
［Ｃ３６］  ワイヤレス通信のためのコンピュータ可読媒体であって、
狭帯域領域中のリソースを識別するためのコードと、前記狭帯域領域が、送信時間間隔（ＴＴＩ）においてわずか単一のリソースブロックにわたる、
前記識別されたリソースを使用して少なくとも１つのユーザ機器（ＵＥ）と通信するためのコードと
を備える、コンピュータ可読媒体。